(57)【要約】【課題】簡易な構成で低コスト、スクリーンの大型化も容易であって、明るく高いコントラストの画像を得るためのスクリーンを提供すること。【解決手段】基材１１と、第１の方向を長手方向とする棒形状をなし、第１の方向における両端のうちの一方である第１端１３が基材１１に取り付けられて基材１１上に並列された複数の棒状部材１２と、を有し、各棒状部材１２の表面には、高反射率部分と、高反射率部分より低い反射率の低反射率部分と、が形成され、高反射率部分と低反射率部分とは、表面のうち第１の方向以外の方向である第２の方向について互いに異なる位置にあって、複数の棒状部材１２は、基材１１に対する傾きと、傾けられる向きとが変更可能である。【選択図】図１
2010191035.tif 000002
【特許請求の範囲】
【請求項１】
基材と、
第１の方向を長手方向とする棒形状をなし、前記第１の方向における両端のうちの一方が前記基材に取り付けられて前記基材上に並列された複数の棒状部材と、を有し、
各棒状部材の表面には、高反射率部分と、前記高反射率部分より低い反射率の低反射率部分と、が形成され、
前記高反射率部分と前記低反射率部分とは、前記表面のうち前記第１の方向以外の方向である第２の方向について互いに異なる位置にあって、
前記複数の棒状部材は、前記基材に対する傾きと、傾けられる向きとが変更可能であることを特徴とするスクリーン。
【請求項２】
前記複数の棒状部材は、前記高反射率部分の向きを略一致させ、かつ前記低反射率部分の向きを略一致させて配置されることを特徴とする請求項１に記載のスクリーン。
【請求項３】
各棒状部材は、少なくとも一部が円柱形状をなし、
前記第２の方向が前記円柱形状の曲率方向であることを特徴とする請求項１又は２に記載のスクリーン。
【請求項４】
各棒状部材の表面に、前記第２の方向について反射率が漸次変化するような反射率分布を持たせることを特徴とする請求項１〜３のいずれか一項に記載のスクリーン。
【請求項５】
前記複数の棒状部材は、前記第２の方向について持たせた前記反射率分布が揃うように配置されることを特徴とする請求項４に記載のスクリーン。
【請求項６】
各棒状部材は、前記基材に取り付けられた側とは反対側を尖らせた形状をなすことを特徴とする請求項１〜５のいずれか一項に記載のスクリーン。
【請求項７】
前記高反射率部分は、高反射性材料を塗布して構成されることを特徴とする請求項１〜６のいずれか一項に記載のスクリーン。
【請求項８】
各棒状部材は、高反射性材料を用いて構成されることを特徴とする請求項１〜６のいずれか一項に記載のスクリーン。
【請求項９】
前記低反射率部分は、光吸収性材料を塗布して構成されることを特徴とする請求項１〜８のいずれか一項に記載のスクリーン。
【請求項１０】
各棒状部材は、光吸収性材料を用いて構成されることを特徴とする請求項１〜７のいずれか一項に記載のスクリーン。
【請求項１１】
前記複数の棒状部材は、前記基材上において略均一な密度で配置されることを特徴とする請求項１〜１０のいずれか一項に記載のスクリーン。
【請求項１２】
前記複数の棒状部材は、前記基材に沿って摩擦することにより傾けられることを特徴とする請求項１〜１１のいずれか一項に記載のスクリーン。
【請求項１３】
各棒状部材は、帯電性材料を用いて構成され、電界の印加により傾けられることを特徴とする請求項１〜１１のいずれか一項に記載のスクリーン。
【発明の詳細な説明】
【技術分野】
【０００１】
本発明は、スクリーン、特に、画像信号に応じた光を反射させることにより画像を表示するスクリーンの技術に関する。
【背景技術】
【０００２】
いわゆるフロント投写型のプロジェクタは、投写光を反射させる反射型のスクリーンと組み合わせて用いられる。室内照明による照明光などの外光が存在する環境下では、投写光とともにスクリーンで反射した外光が観察者の方向へ進行することにより、画像のコントラストが低下する場合がある。例えば、特許文献１には、外光の吸収、画像のコントラスト向上のための光吸収層を用いる技術が提案されている。特許文献２には、反射層及び光吸収層のパターンを設け、反射層により白色映像輝度を確保し、光吸収層により黒色映像輝度を確保することで画像のコントラストの向上を図る技術が提案されている。特許文献３には、投写光が持つ特定の波長領域の光を選択的に反射し、かつ外光と投写光との光線角度の違いを利用することにより輝度及びコントラストの向上を図る技術が提案されている。特許文献４には、投写光の強度に応じて透過率及び反射率を変化させる技術が提案されている。
【先行技術文献】
【特許文献】
【０００３】
【特許文献１】特開平６−７５３０２号公報
【特許文献２】特開２００５−１２１９６４号公報
【特許文献３】特開２００５−１１５２４３号公報
【特許文献４】特開２０００−７５４１０号公報
【発明の概要】
【発明が解決しようとする課題】
【０００４】
光吸収層により反射率を抑える場合、外光のみならず投写光の反射率も低下するため、画像の輝度が低下することとなる。スクリーンにおける光線角度の違いを利用可能とする構成の場合、構造が複雑なため高コストとなり、スクリーンの大型化も困難となる。また、スクリーンは、外光が少ない環境下では反射率を高めることで画像の輝度を向上させ、外光が多い環境下では反射率を低めることで画像のコントラストを向上させるように、環境に適合可能であることが望ましい。上述の特許文献４に提案される技術のように、反射率を変化させる機構を用いることで環境に適合するような使用が可能となる一方、機構が複雑なため高コストとなり、スクリーンの大型化も困難となる。本発明は、簡易な構成で低コスト、スクリーンの大型化も容易であって、明るく高いコントラストの画像を得るためのスクリーンを提供することを目的とする。
【課題を解決するための手段】
【０００５】
上述した課題を解決し、目的を達成するために、本発明に係るスクリーンは、基材と、第１の方向を長手方向とする棒形状をなし、第１の方向における両端のうちの一方が基材に取り付けられて基材上に並列された複数の棒状部材と、を有し、各棒状部材の表面には、高反射率部分と、高反射率部分より低い反射率の低反射率部分と、が形成され、高反射率部分と低反射率部分とは、表面のうち第１の方向以外の方向である第２の方向について互いに異なる位置にあって、複数の棒状部材は、基材に対する傾きと、傾けられる向きとが変更可能であることを特徴とする。
【０００６】
高反射率部分及び低反射率部分が形成された複数の棒状部材を適宜傾けることにより、スクリーンの反射率を容易に変化させ、環境に適したスクリーンの使用が可能となる。また、複数の棒状部材を並列させる簡易な構成であることにより、低コストにでき、スクリーンの大型化を容易にできる。これにより、簡易な構成で低コスト、スクリーンの大型化も容易であって、明るく高いコントラストの画像を得るためのスクリーンを得られる。
【０００７】
また、本発明の好ましい態様としては、複数の棒状部材は、高反射率部分の向きを略一致させ、かつ低反射率部分の向きを略一致させて配置されることが望ましい。これにより、複数の棒状部材を同じ向きへ傾けることで、スクリーンの全体について均一な反射率にできる。また、外光が入射する側へ低反射率部分を向けてスクリーンを配置することにより、外光の反射を低減させ、高いコントラストの画像が得られる。
【０００８】
また、本発明の好ましい態様としては、各棒状部材は、少なくとも一部が円柱形状をなし、第２の方向が円柱形状の曲率方向であることが望ましい。これにより、棒状部材を傾ける向きに応じてスクリーンの反射率を調整することができる。
【０００９】
また、本発明の好ましい態様としては、各棒状部材の表面に、第２の方向について反射率が漸次変化するような反射率分布を持たせることが望ましい。これにより、さまざまな環境に適合して、明るく高いコントラストの画像を得ることが可能となる。また、高反射率部分と低反射率部分との境界を無くし、反射率のムラを低減させることができる。
【００１０】
また、本発明の好ましい態様としては、複数の棒状部材は、第２の方向について持たせた反射率分布が揃うように配置されることが望ましい。これにより、複数の棒状部材を同じ向きへ傾けることで、スクリーンの全体について均一な反射率にできる。
【００１１】
また、本発明の好ましい態様としては、各棒状部材は、基材に取り付けられた側とは反対側を尖らせた形状をなすことが望ましい。これにより、棒状部材のうち基材側の端部とは反対側の端部を目立たなくさせ、反射率のムラを低減できる。
【００１２】
また、本発明の好ましい態様としては、高反射率部分は、高反射性材料を塗布して構成されることが望ましい。これにより、棒状部材の表面に高反射率部分を形成できる。
【００１３】
また、本発明の好ましい態様としては、各棒状部材は、高反射性材料を用いて構成されることが望ましい。これにより、高反射性部材で構成された棒状部材の表面を高反射率部分として利用できる。
【００１４】
また、本発明の好ましい態様としては、低反射率部分は、光吸収性材料を塗布して構成されることが望ましい。これにより、棒状部材の表面に低反射率部分を形成できる。
【００１５】
また、本発明の好ましい態様としては、各棒状部材は、光吸収性材料を用いて構成されることが望ましい。これにより、光吸収性材料で構成された棒状部材の表面を低反射率部分として利用できる。
【００１６】
また、本発明の好ましい態様としては、複数の棒状部材は、基材上において略均一な密度で配置されることが望ましい。これにより、スクリーンの全体について略均一な画像を得ることができる。
【００１７】
また、本発明の好ましい態様としては、複数の棒状部材は、基材に沿って摩擦することにより傾けられることが望ましい。これにより、電気的な駆動力を用いずに、スクリーンの反射率を容易に調整することができる。
【００１８】
また、本発明の好ましい態様としては、各棒状部材は、帯電性部材を用いて構成され、電界の印加により傾けられることが望ましい。これにより、印加する電界に応じて、スクリーンの反射率を容易に制御することができる。
【図面の簡単な説明】
【００１９】
【図１】本発明の実施例１に係るスクリーンを模式的に表した側面図である。
【図２】スクリーンの一部を模式的に表した平面図である。
【図３】複数の棒状部材のうちの一本を取り出して示した斜視図である。
【図４】Ｘ軸方向へ並列させた棒状部材を第２端側から見た平面図である。
【図５】複数の棒状部材が倒された状態を説明する図である。
【図６】図５のように倒された棒状部材の平面図である。
【図７】複数の棒状部材が倒された状態を説明する図である。
【図８】図７のように倒された棒状部材の平面図である。
【図９】棒状部材を形成する手法の変形例を説明する平面図である。
【図１０】棒状部材を形成する手法の変形例を説明する平面図である。
【図１１】本発明の実施例２に係るスクリーンを模式的に表した側面図である。
【図１２】第１電極及び第２電極を配置する構成を説明する平面図である。
【発明を実施するための形態】
【００２０】
以下に図面を参照して、本発明の実施例を詳細に説明する。
【実施例１】
【００２１】
図１は、本発明の実施例１に係るスクリーン１０を模式的に表した側面図である。図２は、スクリーン１０の一部を模式的に表した平面図である。スクリーン１０は、プロジェクタからの投写光を反射させる反射型のスクリーンである。スクリーン１０は、板状の基材１１と、複数の棒状部材１２とを備える。複数の棒状部材１２は、基材１１上において二次元方向へ並列させて設けられている。ここで、基材１１上において複数の棒状部材１２を並列させた方向をＸ軸方向、Ｙ軸方向とする。Ｘ軸及びＹ軸は、互いに垂直である。また、Ｘ軸及びＹ軸に垂直な軸をＺ軸とする。複数の棒状部材１２は、基材１１のＸＹ平面上に略均一な密度で配置されている。
【００２２】
図３は、複数の棒状部材１２のうちの一本を取り出して示した斜視図である。棒状部材１２は、第１の方向を長手方向とする棒形状をなしている。図１では、複数の棒状部材１２のいずれも、第１の方向とＺ軸方向とが一致しており、基材１１のＸＹ平面に対して垂直に直立している。棒状部材１２は、第１端１３を含む円柱部１５と、第２端１４を含む円錐部１６とから構成されている。円柱部１５は、略円柱形状をなす。第１端１３は、棒状部材１２のうちの第１の方向における一方の端であって、円柱部１５の底面である。棒状部材１２は、第１端１３が基材１１に取り付けられている。円錐部１６は、略円錐形状をなす。第２端１４は、棒状部材１２のうち第１端１３とは反対側の端であって、円錐部１６の頂点である。棒状部材１２は、第２端１４の側を尖らせた形状をなしている。複数の棒状部材１２は、いずれも略同じ形状をなしている。
【００２３】
棒状部材１２の表面には、高反射率部分１７と低反射率部分１８とが形成されている。高反射率部分１７は、棒状部材１２の表面のうち投写光の反射率が最も高い部分とする。低反射率部分１８は、棒状部材１２の表面のうち投写光の反射率が最も低い部分とする。図３において、高反射率部分１７は、棒状部材１２の表面のうち右側に表れている部分である。低反射率部分１８は、棒状部材１２の表面のうち左側に表れている部分である。
【００２４】
高反射率部分１７と低反射率部分１８とは、円柱部１５及び円錐部１６の中心軸に対して互いに略対称となる位置に形成されている。また、棒状部材１２の表面のうち高反射率部分１７と低反射率部分１８との間の部分は、第２の方向について反射率が漸次変化するような反射率分布を持たせて形成されている。ここで、第２の方向とは、第１の方向以外の方向であって、円柱部１５の円柱形状の曲率方向とする。また、第２の方向は、円錐部１６の円錐形状の曲率方向でもある。高反射率部分１７と低反射率部分１８とは、第２の方向について互いに異なる位置にある。
【００２５】
図４は、Ｘ軸方向へ並列させた棒状部材１２を第２端１４側から見た平面図である。基材１１上に並列させた複数の棒状部材１２は、いずれも、高反射率部分１７の向きを略一致させ、かつ低反射率部分１８の向きを略一致させて配置されている。例えば、複数の棒状部材１２のいずれも、高反射率部分１７の向きをＸ軸の矢印の向きとし、低反射率部分１８の向きをＸ軸の矢印とは反対の向きとして配置されている。また、複数の棒状部材１２は、第２の方向について持たせる反射率分布が揃うように配置されている。基材１１のＸＹ平面に対して複数の棒状部材１２を垂直に直立させる状態では、反射率の変化が棒状部材１２ごとに繰り返される周期的なパターンとなる。
【００２６】
棒状部材１２としては、例えば、繊維状に成形された樹脂部材に着色を施したものを用いる。棒状部材１２は、例えば、接着剤による接着や、縫い付けによって基材１１に取り付けられている。棒状部材１２の表面のうち、高反射率部分１７は、高反射性材料、例えば白色塗料や銀色塗料を塗布して構成される。また、低反射率部分１８は、光吸収性材料、例えば黒色塗料を塗布して構成される。これらの塗料は、例えば、スプレーを用いた噴射により塗布する。棒状部材１２の表面の反射率分布は、高反射性材料及び光吸収性材料の少なくとも一方によるグラデーションを施すことで得られる。なお、棒状部材１２は、塗料の塗布によって着色する場合に限られず、例えば、染色等によって着色することとしても良い。また、棒状部材１２は、着色を施した後、反射のための構造や光吸収のための構造を設けることとしても良い。
【００２７】
棒状部材１２の円柱部１５の幅ｄ（図３参照）は、スクリーン１０上に表示される一画素の幅より小さいことが望ましく、例えば、数十から数百μｍ程度とする。第１の方向における棒状部材１２の高さｈは、棒状部材１２を容易に倒せる程度であれば良く、例えば、幅ｄの１０倍程度とする。複数の棒状部材１２は、投写光によってスクリーン１０に表示される一画素の中にいくつかの棒状部材１２が入るように、例えば絨毯の繊維と同様に密集させて配置されている。
【００２８】
棒状部材１２は、基材１１に沿ういずれの向きに力が加えられた場合も、第１端１３付近の部分が折り曲げられ、力が加えられた向きへ倒される。また、棒状部材１２は、一旦倒されると、次に力が加えられるまで倒された状態を保持する。
【００２９】
図５は、複数の棒状部材１２がＸ軸の矢印の向きに倒された状態を説明する図である。図６は、図５に示すように倒された棒状部材１２の平面図である。スクリーン１０のうち複数の棒状部材１２を並列させたＸＹ平面を、例えばブラシ２０でＸ軸の矢印の向きに摩擦することにより、複数の棒状部材１２は、Ｘ軸の矢印の向きに倒される。この場合、スクリーン１０の正面には、棒状部材１２の表面のうち低反射率部分１８が設けられた側が向けられる。
【００３０】
図７は、複数の棒状部材１２がＸ軸の矢印とは反対の向きに倒された状態を説明する図である。図８は、図７に示すように倒された棒状部材１２の平面図である。スクリーン１０のうち複数の棒状部材１２を並列させたＸＹ平面を、例えばブラシ２０を用いてＸ軸の矢印とは反対の向きに摩擦することにより、複数の棒状部材１２は、Ｘ軸の矢印とは反対の向きに倒される。この場合、スクリーン１０の正面には、棒状部材１２の表面のうち高反射率部分１７が設けられた側が向けられる。
【００３１】
複数の棒状部材１２は、基材１１に対する傾きと、傾けられる向きとを適宜変更させることが可能である。基材１１に対する棒状部材１２の傾きは、摩擦によって加える力に応じて変化させることが可能である。棒状部材１２は、強い力が加えられるほど、基材１１に対して垂直に直立させた状態から大きく傾けられる。また、棒状部材１２が傾けられる向きは、摩擦によって加える力の向きに応じて変化させることが可能である。棒状部材１２は、加えられる力の向きに応じて、ＸＹ方向のいずれにも傾けさせることが可能である。
【００３２】
スクリーン１０の反射率は、複数の棒状部材１２の傾きの度合いと、傾けられる向きとによって容易に調整することができる。スクリーン１０の正面へ高反射率部分１７を向けるように複数の棒状部材１２が傾けられるほど、スクリーン１０は高反射率となる。外光が少ない環境下にスクリーン１０を配置する場合は、スクリーン１０を高反射率とするほど、画像の輝度を向上させ良好な画像を得ることができる。スクリーン１０の正面へ低反射率部分１８を向けるように複数の棒状部材１２が傾けられるほど、スクリーン１０は低反射率となる。外光が多い環境下にスクリーン１０を配置する場合は、スクリーン１０を低反射率とするほど、画像のコントラストを向上させ良好な画像を得ることができる。
【００３３】
また、高反射率部分１７及び低反射率部分１８の間の部分を使用することによって、スクリーン１０を配置する環境に応じて反射率を調整することができる。複数の棒状部材１２を適宜傾けることにより、スクリーン１０の反射率を容易に変化させ、環境に適したスクリーン１０の使用が可能となる。スクリーン１０は、第２の方向について持たせた反射率分布が略同じとなるように複数の棒状部材１２を配置することにより、複数の棒状部材１２を同じ向きへ傾けることで、スクリーン１０の全体について均一な反射率にできる。高反射率部分１７及び低反射率部分１８の間に反射率分布を持たせることにより、高反射率部分１７と低反射率部分１８との境界を無くし、反射率のムラを低減させることができる。
【００３４】
スクリーン１０は、基材１１上において略均一な密度で複数の棒状部材１２を配置することで、スクリーン１０の全体について均一な画像を得ることができる。さらに、棒状部材１２の第２端１４側を尖らせることにより、スクリーン１０を正面から見た場合に第２端１４を目立たなくさせ、さらに反射率のムラを低減させることができる。棒状部材１２は、第２端１４側を尖らせた形状とする場合に限られず、例えば丸みを持たせても良く、平面としても良い。棒状部材１２は、略一定の幅を持たせた柱形状としても良い。
【００３５】
スクリーン１０は、基材１１上に複数の棒状部材１２を並列させる簡易な構成であることにより、低コストにでき、大型化を容易にできる。これにより、スクリーン１０を簡易な構成で低コスト、大型化も容易にでき、明るく高いコントラストの画像を得られるという効果を奏する。本実施の形態に係るスクリーン１０は、自在に折り曲げ可能であることから、巻き取り、折り畳みにより収納や持ち運びを容易にできる。複数の棒状部材１２は、ブラシ２０の摩擦によって傾けられる他、ブラシ２０以外の道具やユーザーの手などの摩擦によって傾けられることとしても良い。本実施の形態に係るスクリーン１０は、電気的な駆動力を用いずに反射率を容易に調整できる利点もある。
【００３６】
スクリーン１０は、全ての棒状部材１２を同一の向きに傾けて使用する他、一部の棒状部材１２について、他の棒状部材１２とは異なる向きに傾けて使用しても良い。例えば、スクリーン１０の領域ごとに、入射する外光の強さに差がある場合、外光の強さに応じて棒状部材１２を傾ける向きを変化させることとしても良い。また、スクリーン１０は、基材１１のＸＹ平面に対して棒状部材１２を垂直に直立させた状態で使用しても良い。例えば、外光が入射する側へ低反射率部分１８を向けることで、外光の反射を低減させることが可能となる。また、投写光が入射する側へ高反射率部分１７を向けることで、正面に向けて効率良く投写光を進行させることが可能となる。これにより、明るく高いコントラストの画像を得ることが可能となる。棒状部材１２は、本実施例で説明する形状である場合に限られず、適宜変形しても良い。また、スクリーン１０に設けられる棒状部材１２は、全てが同一の形状、同一の寸法である場合に限られず、形状、寸法にばらつきがあっても良い。
【００３７】
図９及び図１０は、棒状部材１２を形成する手法の変形例を説明する平面図である。図９に示す棒状部材１２は、高反射性材料２１を用いて構成されている。棒状部材１２の表面のうち低反射率部分１８は、光吸収性材料を塗布した部分である。棒状部材１２の表面のうち高反射率部分１７は、光吸収性材料を塗布した部分以外の、高反射性材料２１の表面を残した部分とする。棒状部材１２の表面の反射率分布は、光吸収性材料によるグラデーションを施すことで得られる。
【００３８】
図１０に示す棒状部材１２は、光吸収性材料２４を用いて構成されている。棒状部材１２の表面のうち高反射率部分１７は、高反射性材料を塗布した部分である。棒状部材１２の表面のうち低反射率部分１８は、高反射性材料を塗布した部分以外の、光吸収性材料２４の表面を残した部分とする。棒状部材１２の表面の反射率分布は、高反射性材料によるグラデーションを施すことで得られる。このように、棒状部材１２は、光吸収性材料及び高反射性材料のいずれか一方を塗布することにより得ることとしても良い。
【００３９】
本実施の形態において、棒状部材１２の表面は、第２の方向について反射率が漸次変化するような反射率分布を持たせる場合に限られず、少なくとも高反射率部分と、高反射率部分より低い反射率の低反射率部分を備えるものであれば良い。また、棒状部材１２は、散乱構造が形成された透明樹脂を用いることとし、散乱構造によって反射率を調整することとしても良い。本実施の形態に係るスクリーン１０の構成は、例えば生地や建造物の壁面等に応用しても良い。例えば、建造物の外壁における反射率を調整することで冷暖房のための電力消費を低減させるための構造として利用しても良い。
【実施例２】
【００４０】
図１１は、本発明の実施例２に係るスクリーン３０を模式的に表した側面図である。本実施例に係るスクリーン３０は、電界の印加により複数の棒状部材１２が傾けられることを特徴とする。上記実施例１と同一の部分には同一の符号を付し、重複する説明を省略する。各棒状部材１２は、帯電性材料を用いて構成されている。帯電性材料として、例えば、帯電性を持たせたプラスチック粒子を用いる。棒状部材１２には、帯電性を持たせたプラスチック粒子に炭素等の色粒子を付着させた微粒子（トナー）を用いる。トナーは、帯電性を持たせる機能とともに、光吸収性材料としても機能する。この他、各棒状部材１２は、マイナス又はプラスの電荷を持つ帯電性材料を塗布することにより帯電させることとしても良い。
【００４１】
スクリーン３０は、第１電極３１及び第２電極３２を有する。隣接する第１電極３１と第２電極３２とは、絶縁体３３により互いに絶縁されている。第１電極３１及び第２電極３２の組同士は、間隔を設けて配置されている。間隔を設けて配置された第１電極３１及び第２電極３２の間に、例えば第１電極３１をプラス、第２電極３２をマイナスとする電圧を印加すると、第１電極３１から第２電極３２への向きの電界Ｅが生じる。マイナスに帯電させた棒状部材１２を用いる場合、第１電極３１及び第２電極３２の間に配置された棒状部材１２は、電界Ｅの作用により、第１電極３１の側へ傾けられる。
【００４２】
第１電極３１及び第２電極３２の間に印加する電圧の大きさを変化させることにより、棒状部材１２の傾きを制御することができる。また、第１電極３１と第２電極３２とでプラスマイナスを入れ替えることにより、棒状部材１２を傾ける向きを制御することができる。これにより、印加する電界Ｅに応じて、スクリーン３０の反射率を容易に制御することができる。
【００４３】
図１２は、二次元方向について第１電極３１及び第２電極３２を配置する構成を説明する平面図である。ここでは、棒状部材１２の図示を省略している。第１電極３１及び第２電極３２の組は、Ｘ軸方向とＹ軸方向とで互いに交差させて配置されている。Ｘ軸方向の第１電極３１及び第２電極３２の組と、Ｙ軸方向の第１電極３１及び第２電極３２の組とは、絶縁体３３により互いに絶縁されている。
【００４４】
Ｘ軸方向について間隔を設けて配置された第１電極３１及び第２電極３２の間に電圧を印加することにより、Ｘ軸方向について電界Ｅｘを発生させる。Ｙ軸方向について間隔を設けて配置された第１電極３１及び第２電極３２の間に電圧を印加することにより、Ｙ軸方向について電界Ｅｙを発生させる。Ｘ軸方向及びＹ軸方向についてそれぞれ電圧を印加することにより、第１電極３２及び第２電極３２により囲まれた領域には、電界Ｅｘと電界Ｅｙとを合成させた電界Ｅｘｙを発生させる。これにより、複数の棒状部材１２を二次元方向における任意の向きへ、任意の傾きで傾けさせることができる。
【産業上の利用可能性】
【００４５】
以上のように、本発明に係るスクリーンは、フロント投写型のプロジェクタからの投写光を用いて画像を表示する場合に適している。
【符号の説明】
【００４６】
１０  スクリーン、１１  基材、１２  棒状部材、１３  第１端、１４  第２端、１５  円柱部、１６  円錐部、１７  高反射率部分、１８  低反射率部分、２０  ブラシ、２１  高反射性材料、２４  光吸収性材料、３０  スクリーン、３１  第１電極、３２  第２電極、３３  絶縁体
【図１】
2010191035.tif 000003
【図２】
2010191035.tif 000004
【図３】
2010191035.tif 000005
【図４】
2010191035.tif 000006
【図５】
2010191035.tif 000007
【図６】
2010191035.tif 000008
【図７】
2010191035.tif 000009
【図８】
2010191035.tif 000010
【図９】
2010191035.tif 000011
【図１０】
2010191035.tif 000012
【図１１】
2010191035.tif 000013
【図１２】
2010191035.tif 000014